(57)【特許請求の範囲】
【請求項１】
配線を有し、長手方向の両端部において短手方向の同一端側に切り欠きが設けられた長手状の基板と、前記基板の長手方向の両端部に配置された１対のコネクタであり、それぞれ前記基板の短手方向において前記切り欠きがある側から、他の基板に配置されたコネクタを着脱可能な接続部を有し、前記接続部が前記他の基板のコネクタと物理接続された場合、前記基板の配線と前記他の基板が有する配線とを電気接続するとともに前記基板と前記他の基板とを前記基板の長手方向に沿って連結する１対のコネクタとを備えるモジュールを３つ以上備え、
当該３つ以上のモジュールが前記基板の連結方向に沿って並べられ、隣り合うモジュールが前記基板の連結方向の垂直方向において互いに逆向きになるように配置され、
隣り合うモジュールの隣接するコネクタ同士が物理接続されることにより、隣り合うモジュールの前記基板同士が連結されたことを特徴とする照明器具。
【請求項２】
途中のモジュールが前記基板の連結方向の垂直方向に引き抜かれることにより、途中のモジュール及び両隣のモジュールの隣接するコネクタ同士の物理接続が解除され、途中のモジュールが取り外されることを特徴とする請求項１の照明器具。
【請求項３】
前記基板は、前記切り欠きを略四角形状として略凸形状に形成されたことを特徴とする請求項１又は２の照明器具。
【請求項４】
前記基板は、前記切り欠きを略三角形状として略台形状に形成されたことを特徴とする請求項１又は２の照明器具。
【請求項５】
それぞれのモジュールは、さらに、前記基板上に実装され、前記基板の配線により直列に接続された複数のＬＥＤを備えることを特徴とする請求項１から４のいずれかの照明器具。
【請求項６】
隣り合うモジュールの一方は、前記１対のコネクタとして１対の雄型コネクタを備え、隣り合うモジュールの他方は、前記１対のコネクタとして１対の雌型コネクタを備えることを特徴とする請求項１から５のいずれかの照明器具。
【発明の詳細な説明】
【技術分野】
【０００１】
本発明は、モジュール及び照明器具に関するものである。本発明は、特に、接続方法を工夫したライン型ＬＥＤモジュールに関するものである。
【背景技術】
【０００２】
複数のＬＥＤを基板上に直線状に実装し基板の長手方向端部にコネクタを配置し、基板と基板を直線的に接続する方法が知られている（例えば、特許文献１参照）。
【先行技術文献】
【特許文献】
【０００３】
【特許文献１】特開２０１０−９８３０２号公報
【発明の概要】
【発明が解決しようとする課題】
【０００４】
従来技術では、基板の長手方向に沿ってＬＥＤモジュールをスライドさせながら基板の長手方向端部同士が接するようにＬＥＤモジュールをコネクタで接続する。このためＬＥＤモジュールを３つ以上接続した場合、途中のＬＥＤモジュールに故障が生じると、故障したモジュールだけを取り外して交換することができず、片側方向から故障したＬＥＤモジュールまで接続されているＬＥＤモジュールを全て取り外した後、故障したＬＥＤモジュールを交換し、また取り外した正常なＬＥＤモジュールを全て元通りに取り付ける必要があった。
【０００５】
本発明は、例えば、他のモジュールと連結（接続）された状態で、連結方向に対して略垂直な方向に取り外せるモジュールを提供することを目的とする。
【課題を解決するための手段】
【０００６】
本発明の一の態様に係るモジュールは、
配線を有する基板と、
前記基板の両端部に配置された１対のコネクタであり、それぞれ他の基板に配置されたコネクタを着脱可能な接続部を有し、前記接続部が前記他の基板のコネクタと物理接続された場合、前記基板の配線と前記他の基板が有する配線とを電気接続するとともに前記基板と前記他の基板とを連結する１対のコネクタとを備え、
前記接続部の着脱方向が前記基板の連結方向に対して略垂直である。
【発明の効果】
【０００７】
本発明の一の態様によれば、複数のモジュールを連結した場合、それぞれのモジュールを連結方向に対して略垂直な方向に取り外すことができる。また、それぞれのモジュールを連結方向に対して略垂直な方向に取り付けることもできる。そのため、モジュールを３つ以上連結した場合、途中のモジュールに故障が生じても、故障したモジュールだけを取り外して交換することができる。
【図面の簡単な説明】
【０００８】
【図１】実施の形態１に係る照明器具の斜視図。
【図２】実施の形態１に係る照明器具の分解斜視図。
【図３】実施の形態１に係るＬＥＤモジュールの平面図。
【図４】実施の形態１に係るＬＥＤモジュールの平面図。
【図５】実施の形態１に係るＬＥＤモジュールの連結された状態を示す平面図。
【図６】実施の形態２に係るＬＥＤモジュールの平面図。
【図７】実施の形態２に係るＬＥＤモジュールの平面図。
【図８】実施の形態２に係るＬＥＤモジュールの連結された状態を示す平面図。
【図９】実施の形態３に係る接続ユニットの平面図。
【図１０】実施の形態３に係るＬＥＤモジュールの連結された状態を示す平面図。
【発明を実施するための形態】
【０００９】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１０】
実施の形態１．
図１は、本実施の形態に係る照明器具１０の斜視図である。図２は、照明器具１０の分解斜視図である。
【００１１】
照明器具１０は、器具本体１１、電源端子台１２、点灯装置１３、本体ベース１４、４つのＬＥＤモジュール１５ａ，１５ｂ、４つの反射器１６（リフレクタ）、４つの透明カバー１７（拡散カバー）、ベースカバー１８、２つのネジ１９を備える。
【００１２】
電源端子台１２は、器具本体１１に取り付けられる。点灯装置１３は、電源端子台１２と電線を介して電気的に接続され、器具本体１１に取り付けられる。本体ベース１４は、器具本体１１を覆うように取り付けられる。４つのＬＥＤモジュール１５ａ，１５ｂは、１種類のＬＥＤモジュール１５ａと別の種類のＬＥＤモジュール１５ｂが交互に連結されて本体ベース１４に取り付けられる。４つの反射器１６は、１対１で対応するＬＥＤモジュール１５を覆うようにそれぞれ取り付けられる。４つの透明カバー１７は、１対１で対応する反射器１６の発光部（ＬＥＤごとに光出射用の開口部が設けられた光出射側端部）にそれぞれ取り付けられる。ベースカバー１８は、長方形状の開口部を有し、この開口部に反射器１６の発光部が挿入されるとともに、器具本体１１に取り付けられる。２つのネジ１９は、ベースカバー１８を器具本体１１にネジ止めするためのものである。
【００１３】
次に、ＬＥＤモジュール１５ａ，１５ｂの形態及び接続方法について、図３〜図５を用いて説明する。
【００１４】
図３は、ＬＥＤモジュール１５ａの平面図である。
【００１５】
図３に示すＬＥＤモジュール１５ａは、基板２４の片面に配線パターン２８が設けられている。この配線パターン２８は基板用雄側コネクタ２２ａの片側の端子から１０個のＬＥＤ２１を直列に接続し反対側の基板用雄側コネクタ２２ａの片側の端子へ接続するように形成されている。
【００１６】
また、基板用雄側コネクタ２２ａのＬＥＤ２１へ接続していない端子は基板の両側の基板用雄側コネクタ２２ａを接続するように設けられている。基板２４の形状は短手側の中央部から基板２４の短手方向の長さの半分を取り除いた凸型形状となっている。基板２４の端部の取り除いた部分に基板用雄側コネクタ２２ａが基板２４の長手方向に対し鉛直方向に接続部が向くよう実装されている。
【００１７】
図４は、ＬＥＤモジュール１５ｂの平面図である。
【００１８】
図４に示すＬＥＤモジュール１５ｂは、図３に示すＬＥＤモジュール１５ａに対し基板用雄側コネクタ２２ａを基板用雌側コネクタ２２ｂに変更したものであり、配線パターン２８は同一のため基板２４とＬＥＤ２１は共通で基板用雄側コネクタ２２ａを基板用雌側コネクタ２２ｂへ部品変更するだけで製造することができる。
【００１９】
図５は、ＬＥＤモジュール１５ａ，１５ｂの連結された状態を示す平面図である。
【００２０】
ＬＥＤモジュール１５ａとＬＥＤモジュール１５ｂは交互に接続される。このときＬＥＤモジュール１５ａの電源側（外部電源に近い側の端、図では左端）には電源用雌側ハーネス２３ａが接続され、終端（外部電源から遠い側の端、図では右端）のＬＥＤモジュール１５ｂには短絡用雄側ハーネス２３ｃが接続される。これにより電源用雌側ハーネス２３ａから供給された電気エネルギーがＬＥＤ２１へ供給され、さらに、短絡用雄側ハーネス２３ｃにより残りのＬＥＤ２１へも供給されるため、全てのＬＥＤモジュール１５ａ，１５ｂのＬＥＤ２１を直列点灯させることができる。
【００２１】
なお、図５においては電源側にＬＥＤモジュール１５ａを用いた例を示しているが、電源側にＬＥＤモジュール１５ｂを用いてもよく、この場合は電源用雌側ハーネス２３ａの代わりに、後述する実施の形態３と同様の電源用雄側ハーネスを用いる。また、図５においては終端をＬＥＤモジュール１５ｂとする例を示しているが、終端をＬＥＤモジュール１５ａとしてもよく、この場合は短絡用雄側ハーネス２３ｃの代わりに、後述する実施の形態３と同様の短絡用雌側ハーネスを用いる。
【００２２】
このように交互に直列接続されたＬＥＤモジュール１５ａとＬＥＤモジュール１５ｂは基板２４の長手方向に対して垂直方向に基板用雄側コネクタ２２ａと基板用雌側コネクタ２２ｂが接続されているため、複数枚接続されたＬＥＤモジュール１５ａ又はＬＥＤモジュール１５ｂの１枚が故障し交換が必要になった場合でも、基板２４の長手方向に垂直に引き抜くことにより基板用雄側コネクタ２２ａと基板用雌側コネクタ２２ｂの接続部を取り外すことができる。
【００２３】
これによりＬＥＤモジュール１５ａ及びＬＥＤモジュール１５ｂをライン状に接続できるとともに、接続している途中のＬＥＤモジュール１５ａ，１５ｂが故障したときには容易に交換が必要なモジュールのみ取り外し交換ができる。
【００２４】
図３に示したように、ＬＥＤモジュール１５ａは、配線パターン２８（配線の例）を有する基板２４と、基板２４の両端部に配置された１対の基板用雄側コネクタ２２ａ（１対の雄型コネクタの例）とを備える。また、図４に示したように、ＬＥＤモジュール１５ｂは、配線パターン２８を有する基板２４と、基板２４の両端部に配置された１対の基板用雌側コネクタ２２ｂ（１対の雌型コネクタの例）とを備える。ＬＥＤモジュール１５ａとＬＥＤモジュール１５ｂとに共通する基板２４は、長手状であり、長手方向の両端部において短手方向の同一端側に略四角形状（所定形状の例）の切り欠きが設けられることにより全体として略凸形状に形成されている。ＬＥＤモジュール１５ａの基板用雄側コネクタ２２ａは、ＬＥＤモジュール１５ｂの基板２４（他の基板）に配置された基板用雌側コネクタ２２ｂを着脱可能な接続部（図３では基板用雄側コネクタ２２ａの上端から外側に突き出ている）を有する。また、ＬＥＤモジュール１５ｂの基板用雌側コネクタ２２ｂは、ＬＥＤモジュール１５ａの基板２４（他の基板）に配置された基板用雄側コネクタ２２ａを着脱可能な接続部（図４では示していないが基板用雌側コネクタ２２ｂの上端から内側に窪んでおり、基板用雌側コネクタ２２ｂの接続部と嵌合可能な形状をもつ）を有する。
【００２５】
図５に示したように、ＬＥＤモジュール１５ａ，１５ｂは、それぞれの基板２４の連結方向に沿って２つずつ交互に並べられ、隣り合うＬＥＤモジュール１５ａ，１５ｂが基板２４の連結方向の垂直方向において互いに逆向きになるように配置されている。そして、隣り合うＬＥＤモジュール１５ａ，１５ｂの隣接する基板用雄側コネクタ２２ａ及び基板用雌側コネクタ２２ｂの接続部同士が物理的に接続（具体的には嵌合）されている。１つの基板用雄側コネクタ２２ａの接続部と１つの基板用雌側コネクタ２２ｂの接続部が物理的に接続された場合、ＬＥＤモジュール１５ａの基板２４の配線パターン２８とＬＥＤモジュール１５ｂの基板２４の配線パターン２８が電気的に接続されることになり、また同時に、ＬＥＤモジュール１５ａの基板２４とＬＥＤモジュール１５ｂの基板２４が連結されることになる。このとき、本実施の形態では、基板用雄側コネクタ２２ａ及び基板用雌側コネクタ２２ｂの接続部同士の着脱方向が、基板２４の連結方向に対して略垂直になっている。そのため、複数のＬＥＤモジュール１５ａ，１５ｂを連結した場合、それぞれのモジュールを連結方向に対して略垂直な方向に取り外すことができる。また、それぞれのモジュールを連結方向に対して略垂直な方向に取り付けることもできる。したがって、本実施の形態によれば、モジュールを３つ以上連結した場合、途中のモジュールに故障が生じても、故障したモジュールだけを取り外して交換することができる。
【００２６】
電源側のＬＥＤモジュール１５ａの端部にある基板用雄側コネクタ２２ａには電源用雌側ハーネス２３ａが接続される。そして、終端のＬＥＤモジュール１５ｂの端部にある基板用雌側コネクタ２２ｂには短絡用雄側ハーネス２３ｃが接続される。これにより、全てのＬＥＤモジュール１５ａ，１５ｂのＬＥＤ２１が、外部電源から給電されて点灯可能となる。
【００２７】
なお、ＬＥＤモジュール１５ａ，１５ｂの基板２４に実装されるＬＥＤ２１の数は９個以下又は１１個以上でもよいし、それぞれの基板２４に実装されるＬＥＤ２１の数が異なっていてもよい。
【００２８】
また、連結されるＬＥＤモジュール１５ａ，１５ｂの数は１つずつ又は３つずつ以上でもよいし、ＬＥＤモジュール１５ａとＬＥＤモジュール１５ｂの一方が他方より１つ多くてもよい。
【００２９】
また、ＬＥＤモジュール１５ａ，１５ｂが備えるコネクタは、基板用雄側コネクタ２２ａ及び基板用雌側コネクタ２２ｂに限らず、例えば特許文献１に記載されているような雄雌の区別が不要なコネクタであってもよいし、その他の種類のコネクタであってもよい。
【００３０】
また、ＬＥＤモジュール１５ａとＬＥＤモジュール１５ｂは、互いに異なる形状の基板２４を備えていてもよい。このとき、それぞれの基板２４の端部に設けられた切り欠きの形状が異なっていてもよいが、切り欠きの形状は、当該端部にある基板用雄側コネクタ２２ａ及び基板用雌側コネクタ２２ｂが接続される際に当該端部同士が干渉しない（邪魔にならない）形状であることが望ましい。
【００３１】
また、本実施の形態におけるＬＥＤモジュール１５ａ，１５ｂの接続方法と同様の接続方法を、他の種類のモジュールの接続方法に適用してもよい。
【００３２】
以上説明したように、本実施の形態に係るＬＥＤモジュール１５ａ，１５ｂは、複数のＬＥＤ２１と、これらのＬＥＤ２１が直列に接続される配線パターン２８を有した基板２４と、基板２４の連結方向に対し鉛直方向に接続部を設けたコネクタ（基板用雄側コネクタ２２ａ、基板用雌側コネクタ２２ｂ）とを具備する。基板２４の形状は凸型であり、ＬＥＤモジュール１５ａ，１５ｂのうち、片方の基板２４に雄端子側のコネクタが実装され、もう片方の基板２４には雌端子側のコネクタが実装されているため、各々の基板２４を交互に直線状に接続することができる。したがって、本実施の形態によれば、ライン状に接続したＬＥＤモジュール１５ａ，１５ｂの途中が故障した場合、故障したモジュールのみ外すことができるため交換作業の手間を軽減させることができる。
【００３３】
実施の形態２．
本実施の形態について、主に実施の形態１との差異を説明する。
【００３４】
本実施の形態に係るＬＥＤモジュール２５ａ，２５ｂの形態及び接続方法について、図６〜図８を用いて説明する。
【００３５】
図６は、ＬＥＤモジュール２５ａの平面図である。
【００３６】
図６に示すＬＥＤモジュール２５ａは、図３に示した実施の形態１のＬＥＤモジュール１５ａの端部をテーパ状にしたものであり、基板３４の形状が台形になったものである。
【００３７】
図７は、ＬＥＤモジュール２５ｂの平面図である。
【００３８】
図７に示すＬＥＤモジュール２５ｂは、図４で示した実施の形態１のＬＥＤモジュール１５ｂの端部をテーパ状にしたものであり、基板３４の形状が台形になったものである。つまり、ＬＥＤモジュール２５ｂは、図６に示すＬＥＤモジュール１５ａに対し基板用雄側コネクタ２２ａを基板用雌側コネクタ２２ｂに変更したものである。
【００３９】
図８は、ＬＥＤモジュール２５ａ，２５ｂの連結された状態を示す平面図である。
【００４０】
ＬＥＤモジュール２５ａ，２５ｂの接続方法については、図５で示した実施の形態１のＬＥＤモジュール１５ａ，１５ｂの接続方法と同じであるため説明を省略する。ただし、基板３４の端部の形状にテーパがあることから、複数枚接続されたＬＥＤモジュール２５ａ又はＬＥＤモジュール２５ｂの１枚が故障し交換する際に実施の形態１よりさらにスムーズな交換が可能となる。
【００４１】
図６及び図７に示したように、ＬＥＤモジュール２５ａとＬＥＤモジュール２５ｂとに共通する基板３４は、長手状であり、長手方向の両端部において短手方向の同一端側に略三角形状（所定形状の例）の切り欠きが設けられることにより全体として略台形状に形成されている。そのため、複数のＬＥＤモジュール１５ａ，１５ｂを連結した場合、それぞれのモジュールを連結方向に対して略垂直な方向に取り外しやすくなる。また、それぞれのモジュールを連結方向に対して略垂直な方向に取り付けやすくなる。したがって、本実施の形態によれば、モジュールを３つ以上連結した場合、途中のモジュールに故障が生じても、故障したモジュールだけを簡単に取り外して交換することができる。
【００４２】
以上説明したように、本実施の形態に係るＬＥＤモジュール２５ａ，２５ｂは、複数のＬＥＤ２１と、これらのＬＥＤ２１が直列に接続される配線パターン２８を有した基板３４と、基板３４の連結方向に対し鉛直方向に接続部を設けたコネクタ（基板用雄側コネクタ２２ａ、基板用雌側コネクタ２２ｂ）とを具備する。基板３４の形状は台形であり、ＬＥＤモジュール２５ａ，２５ｂのうち、片方の基板３４に雄端子側のコネクタが実装され、もう片方の基板３４には雌端子側のコネクタが実装されているため、各々の基板３４を交互に直線状に接続することができる。したがって、本実施の形態によれば、実施の形態１と同様に、ライン状に接続したＬＥＤモジュール２５ａ，２５ｂの途中が故障した場合、故障したモジュールのみ交換できるとともに、基板３４の長手方向端部に設けられたテーパ部により取り外したモジュールをスムーズに嵌め込むことができる。
【００４３】
実施の形態３．
本実施の形態について、主に実施の形態１との差異を説明する。
【００４４】
図９は、接続ユニット４１の平面図である。図１０は、ＬＥＤモジュール１５ａ，１５ｂの連結された状態を示す平面図である。
【００４５】
ＬＥＤモジュール１５ａ，１５ｂを並行して２列に配置したい場合、実施の形態１（又は実施の形態２）の接続方法で基板２４の長手面が接するように配置すると、並行して配置された基板２４に基板２４を外す方向が邪魔され交換が必要なＬＥＤモジュール２５ａ，２５ｂのみ取り外すことができない。このため、本実施の形態では、図９に示す、基板２４間を接続する接続ユニット４１を用いる。
【００４６】
図１０において、片側にライン状に２つのＬＥＤモジュール１５ａが配置されている。これらのＬＥＤモジュール１５ａは、図９に示す接続ユニット４１の一端側に設けられた回路により電気的に接続されている。
【００４７】
ライン状に配置されたＬＥＤモジュール１５ａ及び接続ユニット４１と平行に２つのＬＥＤモジュール１５ｂが配置されている。これらのＬＥＤモジュール１５ｂは、２つのＬＥＤモジュール１５ａを接続する接続ユニット４１の他端側に設けられた回路により電気的に接続されている。
【００４８】
このように並行して配置されたＬＥＤモジュール１５ａとＬＥＤモジュール１５ｂを互いに反対方向となる基板２４の長手面と垂直に引き抜くことで、基板用雄側コネクタ２２ａと基板用雌側コネクタ２２ｂの接続部を取り外すことができる。
【００４９】
これによりＬＥＤモジュール１５ａとＬＥＤモジュール１５ｂを平行な２列のライン状に接続できるとともに、接続している途中のモジュールが故障したときには交換が必要なモジュールのみ容易に取り外し交換できる。
【００５０】
図９に示したように、接続ユニット４１（第１接続具の例）は、２つの配線パターン４３（配線の例）を有する基板４２と、基板４２の一端部に配置され、１つの配線パターン４３を介して電気的に接続された１対の基板用雄側コネクタ２２ａと、基板４２の他端部に配置され、もう１つの配線パターン４３を介して電気的に接続された１対の基板用雌側コネクタ２２ｂとを備える。基板２４は、略矩形上（具体的には略正方形状）に形成されている。
【００５１】
図１０に示したように、ＬＥＤモジュール１５ｂは、それぞれの基板２４の連結方向に沿って２つ並べられ、隣り合うＬＥＤモジュール１５ｂが基板２４の連結方向の垂直方向において互いに同じ向きになるように配置されている。そして、隣り合うＬＥＤモジュール１５ｂの隣接する基板用雌側コネクタ２２ｂそれぞれの接続部と、当該ＬＥＤモジュール１５ｂの間に配置された接続ユニット４１の基板用雄側コネクタ２２ａそれぞれの接続部とが物理的に接続（具体的には嵌合）されている。これにより、当該ＬＥＤモジュール１５ｂの隣接する基板用雌側コネクタ２２ｂ同士が接続ユニット４１を介して電気的に接続される。
【００５２】
同様に、ＬＥＤモジュール１５ａは、それぞれの基板２４の連結方向に沿って２つ並べられ、隣り合うＬＥＤモジュール１５ａが基板２４の連結方向の垂直方向において互いに同じ向きになるように配置されている。そして、隣り合うＬＥＤモジュール１５ａの隣接する基板用雄側コネクタ２２ａそれぞれの接続部と、当該ＬＥＤモジュール１５ｂの間に配置された接続ユニット４１の基板用雌側コネクタ２２ｂそれぞれの接続部とが物理的に接続（具体的には嵌合）されている。これにより、当該ＬＥＤモジュール１５ｂの隣接する基板用雄側コネクタ２２ａ同士が接続ユニット４１を介して電気的に接続される。
【００５３】
上記のように連結された２つのＬＥＤモジュール１５ａと２つのＬＥＤモジュール１５ｂは、それぞれの基板２４の連結方向に沿って２列に並べられ、隣り合う列のＬＥＤモジュール１５ａ，１５ｂが基板２４の連結方向の垂直方向において互いに逆向きになるように配置されている。
【００５４】
電源側のＬＥＤモジュール１５ｂの端部にある基板用雌側コネクタ２２ｂには電源用雄側ハーネス２３ｂが接続される。そして、終端のＬＥＤモジュール１５ｂの端部にある基板用雌側コネクタ２２ｂには短絡用雄側ハーネス２３ｃが接続される。これにより、全てのＬＥＤモジュール１５ｂのＬＥＤ２１が、外部電源から給電されて点灯可能となる。
【００５５】
同様に、電源側のＬＥＤモジュール１５ａの端部にある基板用雄側コネクタ２２ａには電源用雌側ハーネス２３ａが接続される。そして、終端のＬＥＤモジュール１５ａの端部にある基板用雄側コネクタ２２ａには短絡用雌側ハーネス２３ｄが接続される。これにより、全てのＬＥＤモジュール１５ａのＬＥＤ２１も、外部電源から給電されて点灯可能となる。
【００５６】
ここで、上記のように、２列のＬＥＤモジュール１５ａ，１５ｂを別々に外部電源に接続する代わりに、２列のＬＥＤモジュール１５ａ，１５ｂを電気的に直列接続して、いずれか１列のみを外部電源に接続することも可能である。この場合、雄型コネクタと雌型コネクタが電線で接続された接続用ハーネス２３ｅを用いて、終端のＬＥＤモジュール１５ａの端部にある基板用雄側コネクタ２２ａと終端のＬＥＤモジュール１５ｂの端部にある基板用雌側コネクタ２２ｂ（隣り合う列のモジュールの対向するコネクタ同士）が接続される。そして、例えば、電源側のＬＥＤモジュール１５ｂの端部にある基板用雌側コネクタ２２ｂに電源用雄側ハーネス２３ｂが接続され、電源側のＬＥＤモジュール１５ａの端部にある基板用雄側コネクタ２２ａには短絡用雌側ハーネス２３ｄが接続される。あるいは、電源側のＬＥＤモジュール１５ａの端部にある基板用雄側コネクタ２２ａに電源用雌側ハーネス２３ａが接続され、電源側のＬＥＤモジュール１５ｂの端部にある基板用雌側コネクタ２２ｂに短絡用雄側ハーネス２３ｃが接続される。これにより、全てのＬＥＤモジュール１５ａ，１５ｂのＬＥＤ２１が、外部電源から給電されて点灯可能となる。
【００５７】
なお、連結されるＬＥＤモジュール１５ａ，１５ｂの数は３つずつ以上でもよい。
【００５８】
以上説明したように、本実施の形態では、基板２４の凸方向を互いに向き合わせ各々のＬＥＤモジュール１５ａ，１５ｂを直線方向に接続する接続ユニット４１を設けることにより、２列にＬＥＤモジュール１５ａ，１５ｂを配置することができる。したがって、本実施の形態によれば、実施の形態１と同様に、故障したモジュールのみを交換できるとともに、接続ユニット４１を用いることによりＬＥＤモジュール１５ａ，１５ｂを２列に接続できる。
【００５９】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００６０】
１０  照明器具、１１  器具本体、１２  電源端子台、１３  点灯装置、１４  本体ベース、１５ａ，１５ｂ，２５ａ，２５ｂ  ＬＥＤモジュール、１６  反射器、１７  透明カバー、１８  ベースカバー、１９  ネジ、２１  ＬＥＤ、２２ａ  基板用雄側コネクタ、２２ｂ  基板用雌側コネクタ、２３ａ  電源用雌側ハーネス、２３ｂ  電源用雄側ハーネス、２３ｃ  短絡用雄側ハーネス、２３ｄ  短絡用雌側ハーネス、２３ｅ  接続用ハーネス、２４，３４，４２  基板、２８，４３  配線パターン、４１  接続ユニット。
【図１】
0005725983.tif 000002
【図２】
0005725983.tif 000003
【図３】
0005725983.tif 000004
【図４】
0005725983.tif 000005
【図５】
0005725983.tif 000006
【図６】
0005725983.tif 000007
【図７】
0005725983.tif 000008
【図８】
0005725983.tif 000009
【図９】
0005725983.tif 000010
【図１０】
0005725983.tif 000011